(57)【要約】【課題】停止数や階床名の変更、操作釦の配置変更などに容易に対応でき、しかも構造が簡単で低コスト化可能な見易いエレベータのかご操作盤を提供する。【解決手段】非自照式タッチパネル１２及びこの非自照式タッチパネルの上面に着脱自在に設けられた複数の行先釦を表示した操作盤表面シート１１を有する操作部と、この操作部とは異なる位置に設けられたかご呼び登録灯２１４と、上記非自照式タッチパネルに対する操作位置を検知すると共に、検知結果に応じて上記かご呼び登録灯を点灯させるタッチパネル検出装置兼表示装置（制御装置）２１とを備えるようにしたものである。【選択図】図１
2007008615.tif 000002
【特許請求の範囲】
【請求項１】
非自照式タッチパネル及びこの非自照式タッチパネルの上面に着脱自在に設けられた行先釦を表示した操作盤表面シートを有する操作部と、この操作部とは異なる位置に設けられたかご呼び登録灯と、上記非自照式タッチパネルに対する操作位置を検知すると共に、検知結果に応じて上記かご呼び登録灯を点灯させる制御装置とを備えたことを特徴とするエレベータのかご操作盤。
【請求項２】
上記操作盤表面シートは、複数の行先釦が印刷された１枚のシートからなることを特徴とする請求項１に記載のエレベータのかご操作盤。
【請求項３】
上記操作盤表面シートは、行先釦毎に独立した複数のシートからなることを特徴とする請求項１に記載のエレベータのかご操作盤。
【請求項４】
上記かご呼び登録灯の表面には、複数の行先階床名が印刷された１枚の透明シートが着脱可能に貼り付けられてなることを特徴とする請求項１ないし請求項３の何れかに記載のエレベータのかご操作盤。
【請求項５】
上記かご呼び登録灯の表面には、個々の登録灯位置にそれぞれ対応して行先階床名が印刷された透明シートが独立して着脱可能に貼り付けられてなることを特徴とする請求項１ないし請求項３の何れかに記載のエレベータのかご操作盤。
【発明の詳細な説明】
【技術分野】
【０００１】
この発明は、エレベータのかご操作盤に関するもので、更に詳細には非自照式タッチパネルを用いたエレベータのかご操作盤に関する。
【背景技術】
【０００２】
従来のエレベータのかご操作盤の例としては、エレベータ室の壁の投影面上に、運転者によって認識可能な少なくとも１つの仮想制御要素を備える仮想像を投影する投影器と、運転者による前記仮想制御要素の操作を感知し、かつ、これに対応してエレベータの動作を開始させるための制御センサとを備えていることにより、停止階床に応じた機械的な行先釦を不要にすると共に、かご操作盤内での複雑な配線を不要にした簡単な構造のかご操作盤が提案されている（例えば特許文献１参照。）。
【０００３】
【特許文献１】特開２０００−２６０３３号公報（第１頁、図１）
【発明の開示】
【発明が解決しようとする課題】
【０００４】
上記のような従来のエレベータのかご操作盤においては、停止数や階床名の変更、操作釦の配置変更などに対する柔軟性が期待できるものの、かご室の壁の前面より仮想操作盤を投影するため投影機と投影面の間に利用者が入ると、仮想操作盤に表示されない部分がでてくるため、投影器を天井付近の投影面にできるだけ近い位置に設置することが望まれる。しかし投影器と投影面が斜めになるため限界があり、また利用者が操作する場合投影面に接触するためその下には画像がとどかない。つまり利用者によって仮想操作盤の投影画像は遮断され正常に映し出されない場合があるという課題があった。
【０００５】
この発明は上記のような従来技術の課題を解消するためになされたもので、停止数や階床名の変更、操作釦の配置変更などに容易に対応でき、しかも構造が簡単で低コスト化可能な見易いエレベータのかご操作盤を得ることを目的としている。
【課題を解決するための手段】
【０００６】
この発明によるエレベータのかご操作盤は、非自照式タッチパネル及びこの非自照式タッチパネルの上面に着脱自在に設けられた行先釦を表示した操作盤表面シートを有する操作部と、この操作部とは異なる位置に設けられたかご呼び登録灯と、上記非自照式タッチパネルに対する操作位置を検知すると共に、検知結果に応じて上記かご呼び登録灯を点灯させる制御装置とを備えるようにしたものである。
【発明の効果】
【０００７】
この発明によれば、非自照式タッチパネルの上面に、行先釦を表示した操作盤表面シートを着脱自在に設けて操作部を構成し、かご呼び登録灯とは異なる位置に配設するようにしたことにより、停止数や階床名の変更、操作釦の配置変更などに容易に対応でき、しかも見易く、また構造が簡単なので低コスト化も図れるという効果が得られる。
【発明を実施するための最良の形態】
【０００８】
実施の形態１．
図１〜図３は、この発明の実施の形態１によるエレベータのかご操作盤を説明するもので、図１（ａ）は全体構成を概略的に示す正面図、図１（ｂ）はその右側面図、図２は制御装置としてのタッチパネル検出装置兼表示装置を示すブロック図、図３は図２に示すタッチパネル検出装置兼表示装置の動作例を概略的に示すフロー図である。なお、各図を通じて同一符号は同一もしくは相当部分を示すものとする。図において、かご操作盤１は、表示手段２の下部に連結された形で一体的に構成されており、図示省略しているかご内部の袖壁中央部などの壁面３に取り付けられている。
【０００９】
破線で囲む行先釦の操作部は、行先階床名を記した複数の行先釦（この例では１〜２５の２５個）の形状を規則正しく配置して印刷した１枚の操作盤表面シート１１からなり、該操作盤表面シート１１は、その下層側（図１（ｂ）の右方向）に配設された非自照式タッチパネル１２の上面に着脱可能に貼り付けられている。表示手段２の部分には、制御装置としてのタッチパネル検出装置兼表示装置２１を内部に組み込んだ表示器カバー２２が取り付けられている。なお、非自照式タッチパネル１２の電極は、図２に示すタッチパネル検出装置兼表示装置２１の内部のタッチパネル検出部２１ａに電気的に接続されている（何れも図示省略）。
【００１０】
上記タッチパネル検出装置兼表示装置２１は、図示省略しているエレベータ制御盤と連係されており、図２に示すように、タッチパネル検出部２１ａのほか、階床変換情報２１ｂなどを含む情報が格納され、また随時書き込み、読み出しが可能な記憶装置２１ｃ、タッチパネル検出部２１ａの検知結果及び記憶装置２１ｃの記憶情報を基に各種演算を行うＣＰＵからなる演算装置２１ｄ、方向灯２１１を制御する方向灯表示部２１ｅ、階床表示灯２１２を制御する階床表示部２１ｆ、運行表示灯２１３を制御する運行灯表示部２１ｇ、かご呼び登録灯２１４を制御するかご呼び登録灯表示部２１ｈなどを備え、上記演算装置２１ｄは上記図示省略しているエレベータ制御盤と連係して各表示部の表示制御を行うように構成されている。
【００１１】
なお、この実施の形態１においては、上記かご操作盤１は、操作盤表面シート１１、非自照式タッチパネル１２、戸開釦１３、戸閉釦１４、インターホンでエレベータの管理者に連絡するための呼出釦１５、及び上記表示手段２の一部を兼ねるかご呼び登録灯２１４などによって構成されている。また、かご呼び登録灯２１４は、タッチパネル検出装置兼表示装置２１の表面上にマトリックス状に設けられた、詳細図示省略する例えばＬＥＤ、ＥＬなどの発光素子と、その発光素子の上面に着脱可能に貼り付けられた行先階床名を印刷等によって示した透明（透光性）シート（図示省略）によって構成されている。なお、該透明シートは、例えば１枚の大きなシートに全行先階床名を示したもの、あるいは行先階床毎に独立のシートに印字されたもの等、何れでも好ましく用いることができ、操作部を構成する操作盤表面シート１１の行先釦の配列と同一の配列で配置される。
【００１２】
次に上記のように構成された実施の形態１の動作について説明する。エレベータの図示省略している運転スイッチが「ＯＮ」に投入されると、タッチパネル検出装置兼表示装置２１は、図３のフローのステップＳ１が開始され、ステップＳ２でタッチパネル検出部２１ａはタッチパネルが押されたかを常時判定する状態となる。エレベータの利用者が操作盤表面シート１１の印刷された任意の行先釦の部分を押すと、その裏に設置された非自照式タッチパネル１２も押されることになる。
【００１３】
タッチパネル検出部２１ａはこれを検出し（ステップＳ３）、演算装置２１ｄに伝達する。演算装置２１ｄは記憶装置２１ｃ内部の階床変換情報２１ｂを参照して（ステップＳ４）、押された位置が有効か？を判定し（ステップＳ５）、有効（「ＹＥＳ」）の場合、タッチパネル１２上の押された位置を行先階に変換し（ステップＳ６）、そのデータを図示省略しているエレベータ制御盤に伝達し（ステップＳ７）、該エレベータ制御盤からの指令によりかご呼び登録灯２１４の所定の発光素子を点灯させる。なお、ステップＳ５の判定が無効（「Ｎｏ」）の場合、ステップＳ２に制御が戻される。
【００１４】
なお、行先釦の操作によって登録されたかご呼びの表示は、従来行先釦に内蔵されたランプを点灯させ、もしくはタッチパネルの背面に液晶表示装置を設けたものなどでは、行先釦の画像に照明を当てることで表示していたが、この実施の形態１においては、かご操作盤１とは異なる位置、即ちかご操作盤１の上部に表示手段２と一体的に設けられたかご呼び表示灯２１４の対応する行先階床名を記した透明シートの裏のＬＥＤなどの発光素子を点灯させることで行なっている。このため、実施の形態１によれば、下記のような効果が得られる。
【００１５】
１．停止階床数のほか、行先釦の配置が変わっても上記タッチパネル検出装置兼表示装置２１内の行先階変換情報の設定の変更と、操作盤表面シート１１の行先釦の印刷、及びかご呼び登録灯２１４の図示省略している透明シートを変えるだけでよく、また行先階床名が変わる場合はこれらシート類を貼り変えるだけでよく、このような改造のための作業時間やコストを大幅に削減できる。
２．非自照式タッチパネル１２を用いたことで、かご操作盤１の薄型化が容易となる。
３．非自照式タッチパネル１２の構造がシンプルのため低コストで製造できる。
４．かご操作盤１の薄型化によって、スペース効率がよく、エレベータの占有昇降路平面の面積が小さくなり建物のレンタブル面積が大きくなる。
５．印刷シートを利用することで、釦オプションの変更あるいは操作盤デザインの変更が容易に行なえる。
【００１６】
なお、上記実施の形態１ではかご呼び登録灯２１４を、かご操作盤１の直上に一体的に設けられた表示手段２の中に配設したが、これに限定されるものではない。例えば、操作盤１と離れた位置、例えばかご操作盤１の上部や図示省略しているドア上部などに分離して設け、あるいは複数箇所に設けることで、操作盤１から離れた位置にいる乗客や背の低い乗客の視認性を高めることができる。なお、操作盤１を複数箇所に設けることも勿論差し支えない。
【００１７】
また、操作盤表面シート１１は、行先釦全体をカバーする１枚の大きなシートを用いて構成したが、各行先釦毎に独立したシートとし、あるいは複数の行先釦毎にまとめたシートとしても良い。１枚の大きなシートの場合、貼り付けが簡単にできるし、独立したシートの場合は、変更に対する対応が容易となるなどの利点があるので、必要によって任意に使い分けることができる。なお、操作盤表面シート１１の素材は不透明、透明の何れも用いることができる。
【００１８】
また、上記戸開釦１３、戸閉釦１４などは従来技術による一般的な機械式の釦を用いているが、行先釦と同様、非自照式タッチパネル１２で検出するようにしても良い。しかし、ドアの開閉動作にかかわり、構造や個数がエレベータ毎に大きく変化するものではないことから、この実施の形態１のように従来同様の機械式の釦とすることも望ましい。また、インターホン、安全スイッチなどを構成する呼出釦１５は、例えばかご操作盤１の電源が落ちても動作するように、他の釦類とは独立した回路となっているので、従来の技術通りの構成とすることは望ましい。さらに、上記かご呼び登録灯２１４の光源として、ＬＥＤ、ＥＬなどの発光素子を例示したが、特にこれらのみに限定されないことは言うまでも無い。例えば、バックライトを有する液晶表示装置などであってもよい。
【図面の簡単な説明】
【００１９】
【図１】この発明の実施の形態１によるエレベータのかご操作盤の全体構成を概略的に示す図で、（ａ）は正面図、（ｂ）は右側面図である。
【図２】図１に示すかご操作盤の制御装置としてのタッチパネル検出装置兼表示装置を示すブロック図である。
【図３】図２に示すタッチパネル検出装置兼表示装置の動作例を概略的に示すフロー図である。
【符号の説明】
【００２０】
１  かご操作盤、  １１  操作盤表面シート（操作部）、  １２  非自照式タッチパネル、  ２  表示手段、  ２１  タッチパネル検出装置兼表示装置（制御装置）、  ２１ａ  タッチパネル検出部、  ２１ｂ  階床変換情報、  ２１ｃ  記憶装置、  ２１ｄ  演算装置、  ２１ｅ  方向灯表示部、  ２１ｆ  階床表示部、  ２１ｇ  運行灯表示部、  ２１ｈ  かご呼び登録灯表示部、  ２１１  方向灯、  ２１２  階床表示灯、  ２１３  運行表示灯、  ２１４  かご呼び登録灯、  ２２  表示器カバー、  ３  壁面。
【図１】
2007008615.tif 000003
【図２】
2007008615.tif 000004
【図３】
2007008615.tif 000005